(57)【要約】      （修正有）【課題】簡略な構造で高精度な液滴吐出ヘッドおよび製造方法を提供する。【解決手段】インクジェット記録ヘッドバー３０は複数の開口部４０Ａを設けた長尺基板４０を用紙幅方向（図中Ｙ方向）の一端または両端を引っ張り、Ｙ方向の寸法を調整すると共にＸ方向（用紙搬送方向）・Ｙ方向（長さ方向）の位置調整を行う。これによりインク滴の着弾位置を機械的に調整したり、長尺基板４０の両端に多自由度ロッド２を備えている場合は走査範囲を調整することもできる。調整が終了した時点で、固定フレーム４に多自由度ロッド２を固定部材５にて固定する。この後、調整治具７を外し、固定フレーム４に固定された多自由度ロッド２をロック部材６でロックし、緩み止めとする。これによりトータルピッチの調整と、用紙幅方向（Ｙ方向）と用紙搬送方向（Ｘ方向）の位置調整を行ったインクジェット記録ヘッドバー３０が固定フレーム４に固定される。【選択図】図７
2006321173.tif 000002
【特許請求の範囲】
【請求項１】
走査幅をカバーする液滴吐出ラインヘッドユニットの少なくとも一端を多自由度に移動でき、固定できる多自由度固定手段を介して走査幅方向に牽引または押圧し固定したことを特徴とする液滴吐出ヘッド。
【請求項２】
前記多自由度固定手段は前記液滴吐出ラインヘッドユニットの少なくとも一端に形成された穴に挿入されるテーパー面を備えたロッドであることを特徴とする請求項１に記載の液滴吐出ヘッド。
【請求項３】
前記多自由度固定手段はネジ頭を前記液滴吐出ラインヘッドユニットの少なくとも一端に回動可能に固定されたネジであることを特徴とする請求項１に記載の液滴吐出ヘッド。
【請求項４】
前記多自由度固定手段を装置本体に固定する固定部材はナットロックであり、前記多自由度固定手段は緩み防止機構と共にネジ止めされることを特徴とする請求項２ないし３に記載の液滴吐出ヘッド。
【請求項５】
前記多自由度固定手段を装置本体に固定する固定部材はナットロックであり、前記多自由度固定手段は緩み防止機構と共に溶接されることを特徴とする請求項２ないし３に記載の液滴吐出ヘッド。
【請求項６】
走査幅をカバーする液滴吐出ラインヘッドの組付け方法であって、
装置本体の筐体に設けられた孔を通して多自由度に移動でき、固定できる多自由度固定手段を引張り、又は押圧しながら、回動可能な治具で前記液滴吐出ラインヘッドの位置調整を行う第１工程と、
装置本体の筐体に前記多自由度固定手段を固定する第２工程とを含むことを特徴とする液滴吐出ヘッドの組付け方法。
【発明の詳細な説明】
【技術分野】
【０００１】
本発明は、液滴吐出ヘッドおよび製造方法に関し、特に走査幅方向に解像度と同ピッチで多数のノズルを配置した液滴吐出ヘッドおよび製造方法に関する。
【背景技術】
【０００２】
ヘッドを往復走査する従来のＰＷＡ方式インクジェット記録装置において、高速印字のためにノズル数を増加すると、ヘッド質量も増加しヘッド走査機構への負荷が大きくなるため、多ノズル化に限界があった。また、往復走査の反転時に余分な走査距離が生じるため、高速化をはかる上で不利になる。
【０００３】
これらを解決する方法として、印刷方向に解像度と同ピッチで多数のノズルを配置した印字媒体幅のＦＷＡ方式インクジェットラインヘッドが既に知られている。多数のノズルを備えるラインヘッドは、一体ヘッドとして製造すると、歩留りが低下したり、高額な製造設備を必要とする（例えば大口径シリコンプロセス装置）等の問題がある。
【０００４】
そこで、比較的ノズル数の少ないヘッドユニットをライン状に複数個接続し、長尺化する技術が開示されている。（例えば、特許文献１、２、３参照）。
例えば金属等のベースプレート上に圧力発生素子が設けられた複数の素子基板（ユニット）をライン状に並べて接着固定し、この素子基板上にノズル及びインク流路を備えた長尺部材を接合してラインヘッドを実現している。あるいは、ベースプレートを用いずにヘッドチップ（ヘッドユニットに相当）を並べて接合していく方式や、フレームにヘッドチップ（ユニット）を千鳥状に配列した構造が開示されている。
【０００５】
上記いずれの技術も、構成部品の中で最も歩留まりの低い素子基板をユニット分割して製造する方式であり、隣接のユニット同士を相互に高精度位置決め固定することが必須となる。位置決めはミクロンオーダの精度を要し、一方で夫々のユニットには必ず個体差（例えばミクロンオーダの寸法バラツキ）があるため、隣接ユニット間、スジむら対策として特に隣接ユニット端のノズル同士の位置を高精度に保ち、なおかつ、ラインヘッド両端のノズルのトータルピッチを各ヘッド間や各色間で揃えることが、従来技術では極めて困難であった。
【０００６】
本願発明は上記問題を解決し、簡略な構造で、ラインヘッドを低コスト製造できる構造と製法を提供することを目的とする。具体的には、各ヘッド間のノズル位置を高精度にアライメントする方法として、ラインヘッド端部に多自由度固定のロッドを設け、このロッドを生産装置で引張り保持して移動させることによりラインヘッド自体は位置調整機構を持たずに、ノズル位置を調整する技術を提供する。
【特許文献１】特開平１０−１８１００４号公報
【特許文献２】特開２００３−２６０７１０号公報
【特許文献３】特開２００１−１９９０７４号公報
【発明の開示】
【発明が解決しようとする課題】
【０００７】
本発明は上記事実を考慮し、簡略な構造で高精度な液滴吐出ヘッドおよび製造方法を提供することを目的とする。
【課題を解決するための手段】
【０００８】
請求項１に記載の液滴吐出ヘッドは、走査幅をカバーする液滴吐出ラインヘッドユニットの少なくとも一端を多自由度に移動でき、固定できる多自由度固定手段を介して走査幅方向に牽引または押圧し固定したことを特徴とする。
【０００９】
上記構成の発明では、走査幅をカバーする液滴吐出ラインヘッドの少なくとも一端を多自由度ロッドで牽引または押圧し走査幅方向に固定したことにより、走査幅方向に高精度なトータルピッチ合わせ及び位置合わせが可能となる。
【００１０】
請求項２に記載の液滴吐出ヘッドは、前記多自由度固定手段が前記液滴吐出ラインヘッドユニットの少なくとも一端に形成された穴に挿入されるテーパー面を備えたロッドであることを特徴とする。
【００１１】
上記構成の発明では、テーパー面を備えたロッドを液滴吐出ラインヘッドユニットの一端に形成された穴に挿入して牽引することで簡単かつ正確に走査幅方向のトータルピッチ合わせ及び位置合わせが行える。
【００１２】
請求項３に記載の液滴吐出ヘッドは、前記多自由度固定手段がネジ頭を前記液滴吐出ラインヘッドユニットに回動可能に固定されたネジであることを特徴とする。
【００１３】
上記構成の発明では、ネジ頭を液滴吐出ラインヘッドに多自由度に固定されたネジとすることでヘッドの固定／牽引または押圧が簡単な構造で高精度に行える。
【００１４】
請求項４に記載の液滴吐出ヘッドは、前記多自由度固定手段を装置本体に固定する固定部材がナットロックであり、前記多自由度固定手段は緩み防止機構と共にネジ止めされることを特徴とする。
【００１５】
上記構成の発明では、多自由度固定手段の固定端側にネジが形成され、このネジを装置本体に固定する固定部材はナットロックであり、緩み防止機構と共にネジ止めされる構成としたことにより簡単かつ低コストな構造で堅牢な固定が行える。
【００１６】
請求項５に記載の液滴吐出ヘッドは、前記多自由度固定手段を装置本体に固定する固定部材がナットロックであり、前記多自由度固定手段は緩み防止機構と共に溶接されることを特徴とする。
【００１７】
上記構成の発明では、多自由度固定手段の固定端側にネジが形成され、このネジを装置本体に固定する固定部材はナットロックであり、緩み防止機構と共に溶接固定される構成としたことにより簡単かつ低コストな構造で堅牢、かつ経時変動を起こさない固定が行える。
【００１８】
請求項６に記載の液滴吐出ヘッドの製造方法は走査幅をカバーする液滴吐出ラインヘッドの組付け方法であって、装置本体の筐体に設けられた孔を通して多自由度に移動でき、固定できる多自由度固定手段を引張り、又は押圧しながら回動可能な治具で前記液滴吐出ラインヘッドの位置調整を行う第１工程と、装置本体の筐体に前記多自由度固定手段を固定する第２工程とを含むことを特徴とする。
【００１９】
上記構成の発明では、液滴吐出ラインヘッドの走査方向および走査幅方向の位置調整を行う第１工程と、装置本体の筐体に多自由度ロッドを固定する第２工程とを含む構成としたことにより、位置調整治具は外付けの生産専用装置として繰り返し使用可能とし、筐体へのロッド固定は安価なロック部材で行うことで、簡単かつ低コストな構造で堅牢な固定が行える。
【発明の効果】
【００２０】
本発明は上記構成としたので、高精度で低コストな液滴吐出ヘッドおよび液滴吐出ヘッド製造方法とすることができた。
【発明を実施するための最良の形態】
【００２１】
＜装置全体＞
図１には、本発明の第１実施形態に係るインクジェット記録装置が示されている。
【００２２】
図１に示すようにインクジェット記録装置１０は、用紙を送り出す用紙供給部１２と、用紙の姿勢を制御するレジ調整部１４と、インク滴を吐出して用紙に画像形成する記録ヘッド部１６と、記録ヘッド部１６のメンテナンスを行なうメンテナンス部１８とを備える記録部２０と、記録部２０で画像形成された用紙を排出する排出部２２とから基本的に構成される。
【００２３】
用紙供給部１２は、用紙が積層されてストックされているストッカ２４と、ストッカ２４から１枚ずつ枚葉してレジ調整部１４に搬送する搬送装置２６とから構成されている。
【００２４】
レジ調整部１４は、ループ形成部２８と用紙の姿勢を制御するガイド部材２９が備えられており、この部分を通過することによって用紙のコシを利用してスキューが矯正されると共に搬送タイミングが制御されて記録部２０に進入する。
【００２５】
排出部２２は、記録部２０で画像が形成された用紙を排紙ベルト２３を介してトレイ２５に収納するものである。
【００２６】
記録ヘッド部１６とメンテナンス部１８の間には、記録紙Ｐが搬送される用紙搬送路１０４が構成されている（搬送方向を矢印Ｈで示す）。スターホイール１７と搬送ロール１９とで記録紙Ｐを挟持しつつ連続的に（停止することなく）搬送する。そして、この用紙に対して、記録ヘッド部１６からインク滴が吐出され当該記録紙Ｐに画像が形成される。
【００２７】
メンテナンス部１８は、インクジェット記録ヘッドバー３０に対して対向配置されるメンテナンス装置２１で構成されている。メンテナンス装置２１は、インクジェット記録ヘッドバー３０に対するキャッピングを行なうキャップＣＰを備え、その他、ワイピング、さらにダミージェットやバキューム等の処理を行うことができる。
＜記録ヘッド＞
図２及び図３に示すように、インクジェット記録ヘッドバー３０は、紙送り方向Ｘと直交する方向（紙幅方向Ｙ）に配置された、複数の記録ヘッドユニット３２を備えている。図３（Ｂ）に示すように、記録ヘッドユニット３２には、紙幅方向Ｙにライン状に複数のノズル５４が形成されている。図１に示す用紙搬送路１０４を連続的に搬送される記録紙Ｐに対し、ノズル５４からインク滴を吐出することで、記録紙Ｐ上に画像が記録される。なお、インクジェット記録ヘッドバー３０は、たとえば、いわゆるフルカラーの画像を記録するために、ＹＭＣＫの各色に対応して、少なくとも４つ配置されている。インクジェット記録ヘッドバー３０の詳細については、後述する。
【００２８】
図４に示すように、それぞれのインクジェット記録ヘッドバー３０のノズル５４による印字領域幅は、このインクジェット記録装置１０での画像記録が想定される記録紙Ｐの用紙最大幅ＰＷよりも長くされており、インクジェット記録ヘッドバー３０を紙幅方向Ｙに移動させることなく記録紙Ｐの全幅にわたる画像記録が可能とされている（いわゆるＦｕｌｌ  Ｗｉｄｔｈ  Ａｒｒａｙ（ＦＷＡ））。ここで、印字領域とは、用紙の両端から印字しないマージンを引いた記録領域のうち最大のものが基本となるが、一般的には印字対象となる用紙最大幅ＰＷよりも大きくとっている。これは、用紙が搬送方向に対して所定角度傾斜して（スキューして）搬送されるおそれがあること、また縁無し印字の要請が高いためである。
＜第１実施形態＞
図５（ａ）にはフルライン（一体型）のインクジェット記録ヘッドが示されている。
【００２９】
図５（ａ）に示すようにフルラインのインクジェット記録ヘッドバー３０はノズルピッチＰnzで配列された複数のノズル５４を備えた記録ヘッドユニット３２から構成されている。この記録ヘッドユニット３２は全てのノズル５４が同時に形成されるため、記録ヘッドユニット３２ごとの個体差／バラツキによって両端のノズル５４同士の間隔、すなわちトータルピッチＰｔに差が生じてしまう。
【００３０】
図５（ｂ）にはユニット接合（分割型）のインクジェット記録ヘッドが示されている。
【００３１】
図５（ｂ）に示すようにユニット接合のインクジェット記録ヘッドバー３０はノズルピッチＰnzで配列された複数のノズル５４を備えた複数の記録ヘッドユニット３２から構成されている。このインクジェット記録ヘッドバー３０は歩留まりの悪い記録ヘッドユニット３２を分割・小型化し異常のないパーツのみをインクジェット記録ヘッドバー３０の組立に使用することで全体としての歩留まりを向上させることができる。しかし記録ヘッドユニット３２間に位置ズレがある場合、用紙搬送方向に筋ムラが発生するためこれを回避するには記録ヘッドユニット３２同士の間隔を優先的に整合させる必要がある。このとき記録ヘッドユニット３２の個体サイズ差や取付位置バラツキの積算により両端のノズル５４同士の間隔、すなわちトータルピッチＰｔに差が生じてしまう。
【００３２】
上記の問題を解決するにはインクジェット記録ヘッドバー３０単体で調整機能を備えるよりも、インクジェット記録装置１０に複数のインクジェット記録ヘッドバー３０を取り付ける際にトータルピッチＰｔを揃えた方がコストも安く、インクジェット記録ヘッドバー３０も単純な構成とすることができる。
【００３３】
すなわち図６（ａ）に示すように、インクジェット記録ヘッドバー３０＃１列と＃２列でトータルピッチＰｔ’とＰｔに差がある場合、短い方のトータルピッチＰｔ’をＰｔに揃えるように＃１列のインクジェット記録ヘッドバー３０の一端をフレーム４２に固定し、他端に張力を与え、図６（ｂ）のように両者のトータルピッチＰｔを揃えてゆくことで、最終的には全てのインクジェット記録ヘッドバー３０のトータルピッチを揃えることができる。
【００３４】
図７には、本発明の第１実施形態に係るインクジェット記録ヘッドが示されている。
【００３５】
図７（ａ）に示すように、インクジェット記録ヘッドバー３０は複数の開口部４０Ａを設けた長尺基板４０を用紙幅方向（図中Ｘ方向）の一端または両端を引っ張り、Ｙ方向の寸法を調整すると共にＸ方向（用紙搬送方向）・Ｙ方向（長さ方向）の位置調整を行う。
【００３６】
長尺基板４０の少なくとも長さ方向（Ｙ方向）一端には自由穴３を通して用紙幅方向に延びる多自由度ロッド２が設けられ、多自由度ロッド２の先端は固定フレーム４に設けられた穴を通過して調整治具７によって把持され、引っ張られることで長尺基板４０に長さ方向（図中白矢印）の張力を与える。
【００３７】
多自由度ロッド２の形状は例えば円錐状のテーパー面を備えたロッドでもよく、あるいは後述するようにＺ軸方向の位置調整を行わない場合は走査幅方向外側に向けて先細りに形成されたプレートでもよい。
【００３８】
多自由度ロッド２の先端（用紙幅方向外側）は図のような自由度をもって回動可能であり、これにより調整治具７によって把持され、引っ張られた際に長尺基板４０の他端（固定端あるいは多自由度ロッド２により張力を与えられた端）との間で長尺基板４０を保持する。
【００３９】
同時に図７（ｂ）のように調整治具７は多自由度ロッド２の先端をＸ方向（用紙搬送方向）・Ｙ方向（長さ方向）に位置調整を行う。これによりインク滴の着弾位置を機械的に調整したり、長尺基板４０の両端に多自由度ロッド２を備えている場合は走査範囲を調整することもできる。調整が終了した時点で、固定フレーム４に多自由度ロッド２を固定部材５にて固定する。
【００４０】
この後、図７（ｃ）のように調整治具７を外し、固定フレーム４に固定された多自由度ロッド２をロック部材６でロックし、緩み止めとする。これによりトータルピッチの調整と、用紙幅方向（Ｙ方向）と用紙搬送方向（Ｘ方向）の位置調整を行ったインクジェット記録ヘッドバー３０が固定フレーム４に固定される。
【００４１】
このとき、図７（ｃ）のように長尺基板４０のＺ軸（高さ）方向位置をフレーム４２で規制してもよい。この場合、多自由度ロッド２はＸＹ方向にのみ自由度を持つプレート状の形状でもよい。
【００４２】
図８には、本発明の第１実施形態に係るインクジェット記録ヘッドの製造工程が示されている。
【００４３】
バー毎に位置調整機構を備えていた従来例では、図８（ａ）に示すようにｎ本のインクジェット記録ヘッドバーをまずフレームに本固定し（この時点でフレームとバーの位置関係は調整不能となる）、ｎ本のバーについて印字検査を行いノズル位置が適正か否か判定を行う。次いでバーに内蔵された調整機構で調整を行い、バーの調整機構をロックすることでノズル位置を固定する。
【００４４】
これに対して本実施形態に係るインクジェット記録ヘッドバーの固定方法では図８（ｂ）に示すように、ｎ本のインクジェット記録ヘッドバーを固定フレーム４に仮固定する。これはロックナットなどを用いて解除できる構成とすればよい。次いでｎ本のバーについて印字検査を行いノズル位置が適正か否か判定を行う。
【００４５】
本実施形態では、ノズル位置の調整が必要と判断された場合にはこの後に先ずインクジェット記録ヘッドバーの固定を解除し、図７に示すように調整治具７でトータルピッチ及び位置調整を行う。この後、インクジェット記録ヘッドバーを固定フレーム４に固定し、ロック部材６で緩み止めを行うことにより正しい位置で固定することができる。
【００４６】
この方法ではインクジェット記録ヘッドバーに調整機構を内蔵しないので小型化・軽量化・低コスト化をはかることが可能であり、また調整機構を介さず固定フレーム４にインクジェット記録ヘッドバーを固定するので高精度化も可能となる。
＜第２実施形態＞
図９には、本発明の第２実施形態に係るインクジェット記録ヘッドが示されている。
【００４７】
図９（ａ）に示すように、インクジェット記録ヘッドバー３０は複数の開口部４０Ａを設けた長尺基板４０を用紙幅方向（図中Ｘ方向）の一端または両端を引っ張り、Ｘ方向の寸法を調整すると共にＸ方向（用紙搬送方向）・Ｙ方向（長さ方向）の位置調整を行う。
【００４８】
長尺基板４０の少なくとも長さ方向（Ｙ方向）一端には用紙幅方向に延びる多自由度ロッド２が設けられ、多自由度ロッド２の先端は固定フレーム４に設けられた穴を通過して調整治具７によって把持され、引っ張られることで長尺基板４０に長さ方向（図中白矢印）の張力を与える点は第１実施形態と同様である。
【００４９】
本実施形態においては、多自由度ロッド２の長尺基板４０と接触する側の端は雄ねじとなっており、長尺基板４０に設けられたネジ穴８（雌ねじ）に螺合し、これに保持される。
【００５０】
さらに多自由度ロッド２の他方の端は図９（ｂ）のように調整治具７によって把持され、引っ張られた際に長尺基板４０の他端（固定端あるいは多自由度ロッド２により張力を与えられた端）との間で長尺基板４０を保持する。
【００５１】
このとき調整治具７は多自由度ロッド２の一端を把持・位置調整するのみならず、把持した端部を回動させ長尺基板４０に設けられたネジ穴８との螺合位置を変化させることで用紙幅方向Ｘに張力を与え、外側（用紙幅方向）に引っ張ることができる。
【００５２】
同時に図９（ｂ）のように調整治具７は多自由度ロッド２の先端をＸ方向（用紙搬送方向）・Ｙ方向（長さ方向）に位置調整を行う。これによりインク滴の着弾位置を機械的に調整したり、長尺基板４０の両端に多自由度ロッド２を備えている場合は走査範囲を調整することもできる。調整が終了した時点で、固定フレーム４に多自由度ロッド２を固定部材５にて固定する。
【００５３】
この後、図９（ｃ）のように調整治具７を外し、固定フレーム４に固定された多自由度ロッド２をロック部材６でロックし、緩み止めとする。これによりトータルピッチの調整と、用紙幅方向（Ｘ方向）と用紙搬送方向（Ｙ方向）の位置調整を行ったインクジェット記録ヘッドバー３０が固定フレーム４に固定される。
【００５４】
このとき、図９（ｃ）のように長尺基板４０のＺ軸（高さ）方向位置をフレーム４２で規制してもよい。この場合、多自由度ロッド２はＸＹ方向にのみ自由度を持つプレート状の形状でもよい。
＜第３実施形態＞
図１０には、本発明の第３実施形態に係るインクジェット記録ヘッドが示されている。
【００５５】
図１０に示すように、インクジェット記録ヘッドバー３０は複数の開口部４０Ａを設けた長尺基板４０を用紙幅方向（図中Ｙ方向）の一端または両端を引っ張り／あるいは押圧し、Ｘ方向の寸法を調整すると共にＸ方向（用紙搬送方向）・Ｙ方向（長さ方向）の位置調整を行う。
【００５６】
長尺基板４０の少なくとも長さ方向（Ｙ方向）一端には自由穴３を通して用紙幅方向に延びる多自由度ロッド２が設けられ、多自由度ロッド２の先端は固定フレーム４に設けられた穴を通過して調整治具７によって把持され、引っ張られる／あるいは押されることで長尺基板４０に長さ方向（図中白矢印）の張力または押圧力を与える。
【００５７】
第１実施形態においては図６に示したように短いトータルピッチＰｔ’のインクジェット記録ヘッドバー３０を引っ張り、引き延ばすことで、長いトータルピッチＰｔのインクジェット記録ヘッドバー３０にノズル位置を合わせていたが、本実施形態においては押圧して押し縮めることで、短いトータルピッチのインクジェット記録ヘッドバー３０に合わせることができる。これにより一本のインクジェット記録ヘッドバー３０だけが長いトータルピッチであった場合などに調整工数を削減できるなど、調整方法に自由度を持たせることができる。
【００５８】
多自由度ロッド２の先端（用紙幅方向外側）は図のような自由度をもって引っ張り／押圧可能であり、これにより調整治具７によって把持され、引っ張られた際には長尺基板４０の他端（固定端あるいは多自由度ロッド２により張力を与えられた端）との間で長尺基板４０を保持する。押圧された場合には長尺基板４０の両端／または押圧される端位置が多自由度ロッド２では位置決めしにくいため、インクジェット記録ヘッドバー３０全体を調整治具７により拘束し、多自由度ロッド２の先端をＸ方向（用紙搬送方向）・Ｙ方向（長さ方向）に位置調整するようにしてもよい。
【００５９】
これによりインク滴の着弾位置を機械的に調整したり、長尺基板４０の両端に多自由度ロッド２を備えている場合は走査範囲を調整することもできる。調整が終了した時点で、固定フレーム４に多自由度ロッド２を固定部材５にて固定する。
【００６０】
この後、調整治具７を外し、固定フレーム４に固定された多自由度ロッド２をロック部材でロックし、緩み止めとする。これによりトータルピッチの調整と、用紙幅方向（Ｙ方向）と用紙搬送方向（Ｘ方向）の位置調整を行ったインクジェット記録ヘッドバー３０が固定フレーム４に固定される。
＜第４実施形態＞
図１１には、本発明の第４実施形態に係るインクジェット記録ヘッドが示されている。
【００６１】
図１１に示すように、インクジェット記録ヘッドバー３０は複数の開口部４０Ａを設けた長尺基板４０を用紙幅方向（図中Ｙ方向）の一端または両端を引っ張り、Ｘ方向の寸法を調整すると共にＸ方向（用紙搬送方向）・Ｙ方向（長さ方向）の位置調整を行う点は上記各実施形態と同様である。
【００６２】
第１実施形態以下、上記の各実施形態においては図６（ａ）、（ｂ）のように長尺基板４０に記録ヘッドユニット３２を千鳥配置した際、そのまま長尺基板４０の一端または両端を引っ張り、長さを調節すると、開口部４０Ａの設けられた部分は相対的に引っ張り強度が多の部分と異なるため、長尺基板４０が不均一に延びてしまい、場所によっては記録ヘッドユニット３２の有無によって延び量の違いから用紙送り方向（Ｘ方向）に非対称な応力が生じ、ジグザグ状に変形する歪みが発生する恐れがある。
【００６３】
本実施形態においては、記録ヘッドユニット３２を千鳥配置する際に図１１のように長尺基板４０を２列またはそれ以上の複数列に分割して配置し、用紙送り方向（Ｘ方向）に対称な構造とすることで上記の歪み発生を防ぐことができる。
【００６４】
図１１の場合、長尺基板４０を２列に分割することで用紙送り方向（Ｘ方向）に対称な構造としている。記録ヘッドユニット３２の大きさ、ドットピッチ等に応じて３列またはそれ以上に分割してもよい。
＜第５実施形態＞
図１２には、本発明の第５実施形態に係るインクジェット記録ヘッドが示されている。
【００６５】
図１２（ａ）（ｂ）に示すように、インクジェット記録ヘッド３０は複数のノズル５４を設けた記録ヘッドユニット３２を用紙幅方向（図中Ｙ方向）の一端または両端を引っ張り、Ｙ方向の寸法を調整すると共にＸ方向（用紙搬送方向）・Ｙ方向（長さ方向）の位置調整を行う。
【００６６】
本実施形態においては、上記各実施形態とは異なり複数の記録ヘッドユニット３２を長尺基板４０に設けることでＦＷＡとするのではなく一個の記録ヘッドユニット３２自体が用紙幅をカバーする大きさのインクジェット記録ヘッドバー３０を構成している。
【００６７】
例えば図１２（ｂ）に示すように流路スタック３１を構成する各層のプレートにおいて十分な強度を備えたプレート１枚あるいは複数をフラップ３３として張り出し、これを図１２（ｃ）のように多自由度ロッド２で長さ方向に張力を与えることでトータルピッチを調整する。
【００６８】
すなわち記録ヘッドユニット３２の少なくとも長さ方向（Ｙ方向）一端には自由穴３を通して用紙幅方向に延びる多自由度ロッド２が設けられ、多自由度ロッド２の先端は固定フレーム４に設けられた穴を通過して調整治具７によって把持され、引っ張られることで記録ヘッドユニット３２に長さ方向（図中白矢印）の張力を与える。
【００６９】
多自由度ロッド２の先端（用紙幅方向外側）は調整治具７によって把持され、引っ張られた際に記録ヘッドユニット３２の他端（固定端あるいは多自由度ロッド２により張力を与えられた端）との間で記録ヘッドユニット３２を保持する。
【００７０】
同時に図１２（ｃ）のように調整治具７は多自由度ロッド２の先端をＸ方向（用紙搬送方向）・Ｙ方向（長さ方向）に位置調整を行う。これによりインク滴の着弾位置を機械的に調整したり、記録ヘッドユニット３２の両端に多自由度ロッド２を備えている場合は走査範囲を調整することもできる。調整が終了した時点で、固定フレーム４に多自由度ロッド２を固定部材５にて固定する。
【００７１】
この後、調整治具７を外し、固定フレーム４に固定された多自由度ロッド２をロック部材でロックし、緩み止めとする。これによりトータルピッチの調整と、用紙幅方向（Ｙ方向）と用紙搬送方向（Ｘ方向）の位置調整を行ったインクジェット記録ヘッドバー３０が固定フレーム４に固定される。
【００７２】
このとき、記録ヘッドユニット３２のＺ軸（高さ）方向位置をフレームで規制してもよい。この場合、多自由度ロッド２はＸＹ方向にのみ自由度を持つプレート状の形状でもよいのは上記各実施例と同様である。
＜他の形態＞
以上、各実施形態においては、ブラック、イエロー、マゼンタ、シアンの各色の記録ヘッドユニット３２から画像データに基づいて選択的にインク滴が吐出されてフルカラーの画像が記録紙Ｐに記録されるようになっているが、本発明におけるインクジェット記録は、記録紙Ｐ上への文字や画像の記録に限定されるものではない。
【００７３】
すなわち、記録媒体は紙に限定されるものでなく、また、吐出する液体もインクに限定されるものではない。例えば、高分子フィルムやガラス上にインクを吐出してディスプレイ用カラーフィルターを作成したり、溶接状態の半田を基板上に吐出して部品実装用のバンプを形成するなど、工業的に用いられる液滴吐出（噴射）装置全般に対して、本発明に係る液滴吐出ヘッドバーを適用することができる。
【００７４】
また、記録媒体は紙に限定されるものでなく、また、吐出する液体もインクに限定されるものではない。例えば、高分子フィルムやガラス上にインクを吐出してディスプレイ用カラーフィルターを作成したり、溶接状態の半田を基板上に吐出して部品実装用のバンプを形成するなど、工業的に用いられる液滴吐出（噴射）装置全般に対して、本発明に係るインクジェット記録ヘッドを適用することができる。
【図面の簡単な説明】
【００７５】
【図１】本発明の第１形態に係るインクジェット記録装置を示す図である。
【図２】本発明の第１形態に係るインクジェット記録ヘッドを示す斜視図である。
【図３】本発明の第１形態に係るインクジェット記録ヘッドを示す図である。
【図４】本発明に係るインクジェット記録ヘッドの印字幅を示す図である。
【図５】本発明の第１形態に係るインクジェット記録ヘッドを示す図である。
【図６】本発明の第１形態に係るインクジェット記録ヘッドを示す図である。
【図７】本発明の第１形態に係るインクジェット記録ヘッドを示す図である。
【図８】本発明の第１形態に係るインクジェット記録ヘッドの組立法を示す図である。
【図９】本発明の第２形態に係るインクジェット記録ヘッドを示す図である。
【図１０】本発明の第３形態に係るインクジェット記録ヘッドを示す図である。
【図１１】本発明の第４形態に係るインクジェット記録ヘッドを示す図である。
【図１２】本発明の第５形態に係るインクジェット記録ヘッドを示す図である。
【符号の説明】
【００７６】
２    多自由度ロッド
３    自由穴
４    固定フレーム
５    固定部材
６    ロック部材
７    調整治具
８    ネジ穴
１０    インクジェット記録装置
３０    インクジェット記録ヘッドバー
３１    流路スタック
３２    記録ヘッドユニット
３３    フラップ
３４    ノズルプレート
４０    長尺基板
４０Ａ  開口部
４２    フレーム
５４    ノズル
【図１】
2006321173.tif 000003
【図２】
2006321173.tif 000004
【図３】
2006321173.tif 000005
【図４】
2006321173.tif 000006
【図５】
2006321173.tif 000007
【図６】
2006321173.tif 000008
【図７】
2006321173.tif 000009
【図８】
2006321173.tif 000010
【図９】
2006321173.tif 000011
【図１０】
2006321173.tif 000012
【図１１】
2006321173.tif 000013
【図１２】
2006321173.tif 000014